(57)【要約】【課題】接点部分の腐食を抑制できる空気調和機を提供する。【解決手段】放電部と、接点部とを備える。放電部は、放電極と放電極に対向する対向極とを含む。接点部は、放電部に電圧を供給する。接点部が収容される接点部収容空間（Ｓ２，Ｓ３）と、放電部を収容する放電部収容空間とは、空気流中に配置される。空気流は、接点部収容空間（Ｓ２，Ｓ３）から放電部収容空間へと向かう方向に流れる。【選択図】図４
2013011395.tif 000002
【特許請求の範囲】
【請求項１】
放電極（１５２ａ）と前記放電極に対向する対向極（１５２ｂ）とを含む放電部（１５２）と、
前記放電部に電圧を供給するための接点部（４７ａ，４７ｂ）と、
を備え、
前記接点部が収容される接点部収容空間（Ｓ２，Ｓ３）と、前記放電部を収容する放電部収容空間（Ｓ５）とは、空気流中に配置され、
前記空気流は、前記接点部収容空間から前記放電部収容空間へと向かう方向に流れる、
空気調和機（１）。
【請求項２】
前記接点部収容空間は、前記空気流を取り込むための取込口（４３）に連通し、前記放電部収容空間に隣接している、
請求項１に記載の空気調和機。
【請求項３】
前記接点部収容空間に差込可能で前記接点部と接触する接触状態を採る差込接点部（５２ａ，５２ｂ）を有し、前記放電部収容空間を形成する放電ユニット（５０）をさらに備え、
前記接点部収容空間と前記放電ユニットとは、前記差込接点部が差込可能な差込開口（４６ａ，４６ｂ）が形成される仕切り部（４５）によって仕切られ、
前記接触状態において、前記差込接点部と前記差込開口との間には、隙間が存在する、
請求項２に記載の空気調和機。
【請求項４】
吹出流を生成するファン（３）を収容し、前記吹出流を吹き出す吹出口（１２）が形成される本体（１０）をさらに備え、
前記空気流は、前記吹出流の一部である、
請求項３に記載の空気調和機。
【請求項５】
前記接点部収容空間及び前記取込口が形成され、前記仕切り部が配置され、前記本体に取り付けられ、前記接触状態において前記放電ユニットが取り付けられている本体取付ユニット（３０）、をさらに備える、
請求項４に記載の空気調和機。
【請求項６】
前記接点部収容空間の気圧のほうが前記放電部収容空間の気圧よりも高い、
請求項１〜５のいずれか１項に記載の空気調和機。
【発明の詳細な説明】
【技術分野】
【０００１】
本発明は、空気調和機に関する。
【背景技術】
【０００２】
従来、室内の空気を取り込んで、取り込んだ空気中の浮遊物（臭気成分、塵埃、菌、ウィルス等）の除去・分解を行うことで、清浄化した空気を室内へ吹き出す空気調和機が存在している。
【０００３】
例えば、特許文献１（特開２００５−３００１１１号公報）に開示の空気調和機では、針状の放電針を有する放電極、対向極等から構成される放電部で活性種を生成している。そして、活性種が室内から取り込んだ空気中に供給されることにより、浮遊物の除去・分解力を高めている。
【発明の概要】
【発明が解決しようとする課題】
【０００４】
放電部で放電させるためには、放電部に電圧を供給するための接点が必要である。ここで、上記特許文献１に開示のような放電部で生成される生成物は、酸化力が強い。このため、生成物が接点部分に触れると接点部分が腐食することが懸念される。
【０００５】
そこで、本発明の課題は、接点部分の腐食を抑制できる空気調和機を提供することにある。
【課題を解決するための手段】
【０００６】
本発明の第１観点に係る空気調和機は、放電部と、接点部とを備える。放電部は、放電極と放電極に対向する対向極とを含む。接点部は、放電部に電圧を供給する。接点部が収容される接点部収容空間と、放電部を収容する放電部収容空間とは、空気流中に配置される。空気流は、接点部収容空間から放電部収容空間へと向かう方向に流れる。
【０００７】
本発明の第１観点に係る空気調和機では、空気流は、接点部収容空間を通って放電部収容空間へと流れる。よって、放電部で生成された生成物が接点部収容空間へと流れるのを抑制できる。よって、接点部の腐食を抑制できる。
【０００８】
本発明の第２観点に係る空気調和機は、本発明の第１観点に係る空気調和機であって、接点部収容空間は、前記空気流を取り込むための取込口に連通し、放電部収容空間に隣接している。
【０００９】
本発明の第２観点に係る空気調和機では、接点部収容空間と放電部収容空間とが隣接している場合であっても、空気流は、接点部収容空間を通って放電部収容空間へと流れるので、放電部で生成された生成物が接点部収容空間へと流れるのを抑制できる。
【００１０】
本発明の第３観点に係る空気調和機は、本発明の第２観点に係る空気調和機であって、放電ユニットをさらに備える。放電ユニットは、放電部収容空間を形成する。また、放電ユニットは、接点部収容空間に差込可能で接点部と接触する接触状態を採る差込接点部を有する。接点部収容空間と放電ユニットとは、仕切り部によって仕切られる。仕切り部は、差込接点部が差込可能な差込開口が形成される。差込接点部の接触状態において、差込接点部と差込開口との間には、隙間が存在する。
【００１１】
本発明の第３観点に係る空気調和機では、差込接点部と差込開口との間に隙間が存在したとしても、空気流は、接点部収容空間を通って放電部収容空間へと流れるので、放電部で生成された生成物が接点部収容空間へと流れるのを抑制できる。
【００１２】
本発明の第４観点に係る空気調和機は、本発明の第３観点に係る空気調和機であって、本体をさらに備える。本体は、吹出流を生成する。また、本体には、吹出流を吹き出す吹出口が形成される。空気流は、吹出流の一部である。
【００１３】
本発明の第４観点に係る空気調和機では、接点部収容空間及び放電部収容空間へと流れる空気流は、吹出口から吹き出される吹出流の一部である。すなわち、空気調和された空気が接点部収容空間及び放電部収容空間へと流れる。よって、接点部やその周辺への塵埃の付着を抑制できる。
【００１４】
本発明の第５観点に係る空気調和機は、本発明の第４観点に係る空気調和機であって、本体に取り付けられ、差込接点部の接触状態において放電ユニットが取り付けられている本体取付ユニットをさらに備える。本体取付ユニットには、接点部収容空間及び取込口が形成される。また、本体取付ユニットには、仕切り部が配置される。
【００１５】
本発明の第５観点に係る空気調和機では、接点部の腐食を抑制できる。
【００１６】
本発明の第６観点に係る空気調和機は、本発明の第１発明〜第５発明のいずれかに係る空気調和機であって、接点部収容空間の気圧のほうが、放電部収容空間の気圧よりも高い。
【００１７】
本発明の第６観点に係る空気調和機では、接点部収容空間の気圧が、放電部収容空間の気圧よりも高いので、放電部収容空間から接点部収容空間へと流れる空気流（逆流）を抑制できる。すなわち、放電部で生成された生成物が接点部収容空間へと流れるのを抑制できる。よって、接点部の腐食を抑制できる。
【発明の効果】
【００１８】
本発明の第１観点に係る空気調和機では、接点部の腐食を抑制できる。
【００１９】
本発明の第２観点及び第３観点に係る空気調和機では、放電部収容空間から接点部収容空間へと流れる空気流（逆流）を抑制できる。
【００２０】
本発明の第４観点に係る空気調和機では、接点部やその周辺への塵埃の付着を抑制できる。
【００２１】
本発明の第５観点及び第６観点に係る空気調和機では、接点部の腐食を抑制できる。
【図面の簡単な説明】
【００２２】
【図１】本発明の一実施形態に係る空気調和機の概略の外観斜視図。
【図２】空気調和機の分解斜視図。
【図３】前面パネル及び取付ユニットを外した状態の空気調和機の概略の正面図。
【図４】本体取付ユニットの分解斜視図。
【図５】放電ユニットの概略の斜視図。
【図６】変形例１Ａに係る本体取付ユニットの分解斜視図。
【発明を実施するための形態】
【００２３】
以下、図面を参照しながら、本発明の一実施形態に係る空気調和機１について説明する。
【００２４】
（１）空気調和機１の概略構成
図１は、本発明の一実施形態に係る空気調和機１の概略の外観斜視図である。図２は、空気調和機１の分解斜視図である。図３は、前面パネル２０及び本体取付ユニット３０を外した状態の空気調和機１の概略の正面図である。図４は、本体取付ユニット３０の分解斜視図である。なお、以下の説明において、上、下、左、右、正面（前）、背面（後）といった方向を示す語句を用いているが、これらの方向は、特にことわりのない限り、図１に示す方向を意味する。
【００２５】
空気調和機１は、設置される空調空間（例えば、室内）の空気を清浄する空気清浄機能を有する。空気調和機１は、床置き型であり、図１や図２に示すように、本体１０と、前面パネル２０と、本体取付ユニット３０と、放電ユニット５０とから構成される。
【００２６】
（１−１）本体１０
本体１０は、図１に示すように、略直方体形状を有する。
【００２７】
本体１０には、空調空間の空気を吸い込むための吸込口１１ａ（図３を参照），１１ｂ（図１を参照）が形成されている。具体的には、吸込口１１ａ，１１ｂは、本体１０の両側面にそれぞれ形成されている。また、本体１０に前面パネル２０が取り付けられた状態において、本体１０と前面パネル２０との間には吸込空間１１ｃが形成されている。具体的には、吸込空間１１ｃは、本体１０の前方の下方部分且つ前面パネル２０の後方の下方部分に形成される。吸込空間１１ｃは、吸込口１１ａ、１１ｂと共に、空調空間の空気を吸い込む吸込口として機能する。すなわち、空気調和機１は、側方及び下方から空調空間の空気を吸い込んでいる。また、本体１０には、清浄化した空気を空調空間に吹き出すための吹出口１２が形成されている。具体的には、吹出口１２は、本体１０の上後方部分に形成されている。空気調和機１では、吸込口１１ａ，１１ｂ及び吸込空間１１ｃを介して本体１０内に吸い込まれた空気は、本体１０の内部において清浄化され、清浄化された空気は、吹出口１２を介して本体１０外に排出される。なお、以下では、吸込口１１ａ，１１ｂ及び吸込空間１１ｃを介して本体１０内に吸い込まれ、吹出口１２を介して本体１０外に吹き出される空気をメイン空気流（適宜、メイン空気流Ａと示す、図２を参照）という。
【００２８】
また、本体１０には、放電ユニット５０で生成された活性種をメイン空気流Ａに供給する機能を有する、複数の小径の活性種供給開口１３（図２や図３を参照）が形成されている。なお、図２では、全ての活性種供給開口１３を示していない。
【００２９】
本体１０の内部には、主として、空気清浄ユニット２と、ファン３と、制御ユニット（図示せず）とが配置されている。以下、これらについて説明する。
【００３０】
（１−１−１）空気清浄ユニット２
空気清浄ユニット２は、図２に示すように、主として、第１プレフィルタ（図示せず）と、イオン化部２２と、第２プレフィルタ２３と、ＨＥＰＡフィルタ２４と、脱臭フィルタ２５とを有している。これらは、メイン空気流Ａの上流側から下流側にかけて順に配置されている。
【００３１】
第１プレフィルタは、吸込口１１ａ，１１ｂ中に設けられており、吸込口１１ａ，１１ｂから吸い込まれた空気中の比較的大きな塵埃を捕捉する。
【００３２】
イオン化部２２は、第１プレフィルタで捕捉されなかった塵埃を帯電させる。具体的には、イオン化部２２では、一対の対向電極とその対向電極との間に配置されるイオン化線との間で放電を発生させることによって、塵埃を帯電させている。
【００３３】
第２プレフィルタ２３は、吸込口１１ａ，１１ｂ及び吸込空間１１ｃから吸い込まれた空気中の比較的大きな塵埃を捕捉する。
【００３４】
ＨＥＰＡフィルタ２４は、イオン化部２２で帯電された塵埃を吸着したり、吸込空間１１ｃから吸い込まれて第２プレフィルタ２３を通過した空気中の塵埃を吸着したりする。
【００３５】
脱臭フィルタ２５は、活性炭などを含んでおり、第１プレフィルタ、イオン化部２２、第２プレフィルタ２３、及び、ＨＥＰＡフィルタ２４を通過した空気中のニオイや有毒ガスを吸着して分解する。
【００３６】
（１−１−２）ファン３
ファン３は、空気清浄ユニット２のメイン空気流下流側に配置され、本体１０の背面側部分に取り付けられる。ファン３は、メイン空気流Ａを生成する機能を有する。具体的には、ファン３は、シロッコファンであり、空気清浄ユニット２を通過した空気を、回転軸が延びる方向から吸い込み、回転軸方向に対して鉛直方向に延びる方向に吹き出す。
【００３７】
（１−１−３）制御ユニット
制御ユニットは、ユーザが操作可能な操作部（図示せず）の下方に位置する複数の電装品から構成され、本体１０内の各種機器の動作を制御する。具体的には、制御ユニットは、操作部を介して入力されるユーザの指示に基づいて、空気清浄ユニット２、ファン３等を制御する。
【００３８】
（１−２）前面パネル２０
前面パネル２０は、図１に示すように、空気調和機１の前面を形成する部材であり、本体１０の前方から本体１０に対して取り付けられる。前面パネル２０は、本体１０の前面に対して着脱されることで本体１０を開放／遮蔽する機能を有する。
【００３９】
（１−３）本体取付ユニット３０
本体取付ユニット３０は、空気清浄ユニット２及びファン３の上方に配置される。具体的には、図３に示すように、本体１０には、空気清浄ユニット２及びファン３の上方に、本体取付ユニット３０を収容する収容空間Ｓ１が形成されている。本体取付ユニット３０は、この収容空間Ｓ１に収容されて本体１０にネジ止め等で固定されることで、本体１０に取り付けられている。本体取付ユニット３０には、その後方から、吹出口１２から吹き出される空気流（吹出流）の一部である分流Ａ１が流入する。
【００４０】
本体取付ユニット３０は、図４に示すように、取付ユニット本体４０を有する。取付ユニット本体４０は、本体部４１と、本体部４１に取り付けられてネジ止めによって固定される蓋部４２とを有する。
【００４１】
本体部４１の背面の中央の領域には、分流Ａ１を本体取付ユニット３０に取り込むための取込口４３が形成されている。また、本体部４１の中央部且つ後方の領域には、取込口４３を介して本体取付ユニット３０に流入した分流Ａ１を、放電ユニット５０及び後述する接点部収容空間Ｓ２，Ｓ３に案内するための分流案内部４４が形成されている。分流案内部４４は、分流Ａ１の空気流れ上流側から下流側にかけて上方に傾斜している。
【００４２】
また、取付ユニット本体４０の内部は、複数の仕切り板によって複数の空間に区切られている。複数の空間のうち、分流案内部４４を挟んだ両側には、上述した接点部収容空間Ｓ２，Ｓ３が位置している。接点部収容空間Ｓ２，Ｓ３は、固定接点部４７ａ，４７ｂを収容する空間である。接点部収容空間Ｓ２，Ｓ３は、取込口４３と連通するように形成されている。
【００４３】
また、複数の空間のうち、本体部４１の中央部分且つ前方部分には、放電ユニット５０が収容される放電ユニット収容空間Ｓ４が位置している。放電ユニット収容空間Ｓ４は、接点部収容空間Ｓ２，Ｓ３と隣接しており、接点部収容空間Ｓ２，Ｓ３の、分流Ａ１の空気流れ下流側に位置する。接点部収容空間Ｓ２，Ｓ３と、放電ユニット収容空間Ｓ４とは、仕切り板４５によって仕切られている。
【００４４】
仕切り板４５には、その上側部分且つ中央領域に内側に（下方に）凹んだ凹部４５ａが形成されている。また、仕切り板４５には、放電ユニット５０の差込接点部５２ａ，５２ｂ（後述する、図５を参照）を差込可能な差込開口４６ａ，４６ｂが形成されている。差込開口４６ａ，４６ｂは、それぞれ、仕切り板４５の両側部分に形成されている。放電ユニット５０が本体取付ユニット３０に取り付けられている状態において、放電ユニット５０の差込接点部５２ａ，５２ｂは、接点部収容空間Ｓ２，Ｓ３に位置し、固定接点部４７ａ，４７ｂと接触する接触状態を採る。なお、本実施形態では、差込接点部５２ａ，５２ｂが固定接点部４７ａ，４７ｂと接触する状態において、接点が形成される。すなわち、差込接点部５２ａ，５２ｂの接触状態において、放電部１５２に電圧が供給されるようになる。なお、差込接点部５２ａ，５２ｂが接触状態を採るとき、差込接点部５２ａ，５２ｂと差込開口４６ａ，４６ｂとの間には、差込時隙間が存在している。
【００４５】
取込口４３から取り込まれて分流案内部４４の上方及び接点部収容空間Ｓ２，Ｓ３を流れる分流Ａ１は、凹部４５ａ及び差込時隙間を介して放電ユニット収容空間Ｓ４へと流れていく。
【００４６】
また、本体部４１には、放電ユニット５０を通過する分流Ａ１を分流路（図示せず）へ導くための分流路導入開口が形成されている（図４では、本体部４１の左部に形成される分流路導入開口４９のみ示すが、右部にも形成されている）。すなわち、分流路導入開口は、放電ユニット収容空間Ｓ４に連通するように形成されている。ここで、分流路とは、活性種供給開口１３に連通する空気流路であり、空気清浄ユニット２の両側に形成されている。また、活性種供給開口１３とは、メイン空気流Ａに、活性種が供給された分流Ａ１を導くための開口である。分流路導入開口及び分流路によって、放電ユニット５０を通過する際に活性種が供給された分流Ａ１が、活性種供給開口１３へと導かれている。
【００４７】
（１−４）放電ユニット５０
図５は、放電ユニット５０の概略の斜視図である。
【００４８】
放電ユニット５０は、ストリーマ放電を生起させることにより活性種を生成して、放電ユニット５０を通過する分流Ａ１に活性種を供給する。放電ユニット５０によって活性種が供給された分流Ａ１は、上述の活性種供給開口１３を介してメイン空気流Ａに吹き出されて合流する。具体的には、活性種が供給された分流Ａ１は、活性種供給開口１３を介して、第２プレフィルタ２３を通過する前の空気流に吹き出される。
【００４９】
放電ユニット５０は、本体取付ユニット３０に対して着脱自在であり、放電ユニットケーシング５１から構成される。放電ユニットケーシング５１は、樹脂から構成された直方体形状の部材であり、放電ユニット収容空間Ｓ４に合致する外形を有している。放電ユニットケーシング５１は、複数の（ここでは、２つの）部材から構成されている。複数の部材は、ネジ止め等によって接続されており、放電ユニットケーシング５１の内部の点検等は、複数の部材を接続するネジを外すことで可能になる。また、放電ユニットケーシング５１には、複数の開口５１ａが形成されている。当該開口５１ａを介して放電ユニット５０に流れる分流Ａ１は、分流路導入開口へと流れる。
【００５０】
放電ユニット５０は、主として、放電部１５２を有する。放電部１５２は、放電ユニットケーシング５１に収容されている。すなわち、放電ユニット５０は、その内部に、放電部１５２を収容する放電部収容空間Ｓ５を形成している。
【００５１】
放電部１５２は、ストリーマ放電を生起し活性種を生成する主要部であり、放電極１５２ａと、対向極１５２ｂとを有する。
【００５２】
放電極１５２ａは、金属板１５５と、放電針１５６とを有する。
【００５３】
金属板１５５は、略直方形状を有し、放電ユニットケーシング５１の背面に略平行となるように取り付けられている。すなわち、金属板１５５は、幅広で長尺の平面部１５５ｄが水平方向（前後方向）を向くように取り付けられている。この金属板１５５は、複数の（ここでは、２つの）ネジ１５７，１５７によってその両端が放電ユニットケーシング５１の背面にネジ付けされることによって、放電ユニットケーシング５１に取り付けられている。また、金属板１５５には、放電極１５２ａに電圧を供給するための差込接点部５２ａが接続されている。差込接点部５２ａは、放電ユニットケーシング５１の外面よりも外方に突出する位置まで延びている。差込接点部５２ａは、その周りを、空洞を有する第１絶縁部材（図示せず）によって覆われている。
【００５４】
また、金属板１５５には、複数の（ここでは、３つの）切り起こし部１５５ａ，１５５ｂ，１５５ｃが形成されている。切り起こし部１５５ａ，１５５ｂ，１５５ｃは、平面部１５５ｄから前方に向かって（具体的には、対向極１５２ｂの水平面に対して鉛直方向に）延びている。
【００５５】
放電針１５６は、放電を行う放電部材である。放電針１５６は、細径の円柱形状を有し、弾性変形可能な金属部材（具体的には、例えば、タングステン等）から構成される。放電針１５６は、切り起こし部１５５ａ，１５５ｂ，１５５ｃのそれぞれ両側部分から側方に向かって（左右方向に）延びている。放電針１５６の直径は、０．３ｍｍ以下であり、好ましくは、０．２ｍｍ以下である。また、放電針１５６の長さは、３．０ｍｍ〜３．５ｍｍが好ましい。当該放電針１５６に電圧が印加されることによって、対向極１５２ｂとの間でストリーマ放電が生じるようになっている。
【００５６】
対向極１５２ｂは、金属板から構成されており、放電極１５２ａよりも大きな略長方形の外形を有する。対向極１５２ｂは、放電極１５２ａと離間して配置されるように、且つ、放電極１５２ａに対向するように（具体的には、略平行となるように）、配置される。また、対向極１５２ｂは、放電針１５６とも略平行になるように配置されている。具体的には、対向極１５２ｂは、複数の（ここでは、２つの）ネジ１５８，１５８によって、その両端が放電ユニットケーシング５１の前面にネジ付けされている。また、対向極１５２ｂには、対向極１５２ｂに電圧を供給するための差込接点部５２ｂが接続されている。差込接点部５２ｂは、放電ユニットケーシング５１の外面よりも外方に突出する位置まで延びている。差込接点部５２ｂは、差込接点部５２ｂは、その周りを、空洞を有する第２絶縁部材（図示せず）によって覆われている。
【００５７】
なお、放電ユニットケーシング５１は、さらに、放電針１５６を清掃する平板形状の清掃部材１５３と、清掃部材１５３を回動するための駆動部材１５４とを有している。駆動部材１５４は、駆動ギア１５４ｂと駆動ギア１５４ｂを駆動させる駆動ギア駆動部材１５４ｃとを有している。駆動ギア駆動部材１５４が駆動されることによって、駆動ギア１５４ｂが回動する。そして、駆動ギア１５４ｂが回動することによって、駆動軸１５４ａを介して、駆動軸１５４ａの先端に接続される清掃部材１５３が回動している。清掃部材１５３の回動により、放電針１５６に付着した付着物は除去されて清掃される。
【００５８】
（２）空気調和機１の動作
ファンモータの駆動によりファン３が回転することによって、上述したメイン空気流Ａが生成される。具体的には、まず、空調空間の空気が本体１０の吸込口１１ａ，１１ｂ及び吸込空間１１ｃを介して本体１０内に流入する。そして、吸込口１１ａ，１１ｂ及び吸込空間１１ｃを介して本体１０内に流入した空気流は、空気清浄ユニット２を通過する際に、比較的大きな塵埃、微細な塵埃、ニオイ等が除去される。ここで、放電ユニット５０を通過することによって活性種が供給された分流Ａ１が、第２プレフィルタ２３を通過する前の空気流に吹き出されるので、第２プレフィルタ２３を通過する空気流は活性種を含んでいる。よって、第２プレフィルタ２３よりもメイン空気流下流側に位置するＨＥＰＡフィルタ２４や脱臭フィルタ２５に吸着された塵埃やニオイは、第２プレフィルタ２３を通過した空気流に含まれる活性種によって分解される。
【００５９】
そして、空気清浄ユニット２で清浄化された空気流は、ファン３の回転軸方向から、ファン吸込口（図示せず）を介して、ファン３に流入する。ファン３に流入した空気流は、上方に方向転換され、ファン導出口（図示せず）を介して吹出口１２へと導かれる。吹出口１２へと導かれた空気流は、吹出口１２を介して上方に吹き出される、すなわち、本体１０の外部である空調空間に供給される。なお、当該吹出口１２を介して吹き出された空気流（吹出流に相当）の一部は、分流Ａ１として取込口４３を介して本体取付ユニット３０へと流れ、本体取付ユニット３０に取り付けられた放電ユニット５０を通過して、活性種供給開口１３を介して第２プレフィルタ２３を通過する前の空気流に合流する。
【００６０】
（３）本体取付ユニット３０内における分流Ａ１の流れ
放電ユニット収容空間Ｓ４に放電ユニット５０が収容されている状態において、空気調和機１の運転は開始される。このとき、放電ユニット５０が形成する放電部収容空間Ｓ５は、接点部収容空間Ｓ２，Ｓ３と隣接し、接点部収容空間Ｓ２，Ｓ３よりも分流Ａ１の下流側に位置することになる。
【００６１】
この状態における、本体取付ユニット３０内における分流Ａ１の流れについて、以下に、図４及び図５を用いて説明する。なお、図４及び図５に示す矢印は、分流Ａ１，Ａ１ａ，Ａ１ｂ，Ａ１ｃ，Ａ１ｄ，Ａ１ｅの流れを示す。
【００６２】
まず、ファン３のファンモータが駆動されることにより、メイン空気流Ａが生成される。そして、ファン３の風圧のみによって、吹出口１２から吹き出される吹出流の一部が分流Ａ１として取込口４３を介して取付ユニット本体４０の内部に流入する。分流Ａ１は、分流案内部４４の上方において、左右へと流れる分流する分流Ａ１ａ，Ａ１ｂと、前方へと流れる分流Ａ１ｃとに分流する。具体的には、分流Ａ１は、接点部収容空間Ｓ２へと流れる分流Ａ１ａと、接点部収容空間Ｓ３へと流れる分流Ａ１ｂと、放電ユニット５０へと流れる分流Ａ１ｃとに分流する。接点部収容空間Ｓ２，Ｓ３へと流れた分流Ａ１ａ，Ａ１ｂは、差込接点部５２ａ，５２ｂと差込開口４６ａ，４６ｂとの間にある差込時隙間を介して、前方（すなわち、放電ユニット５０側）へと流れる。放電ユニット５０へと流れた分流Ａ１ｃは、差込時隙間を介して前方へと流れる分流Ａ１ａ，Ａ１ｂと合流して分流Ａ１となる。そして、放電ユニット５０において分流Ａ１ａ、Ａ１ｂ，Ａ１ｃが合流した分流Ａ１は、放電ユニット５０を構成する放電ユニットケーシング５１に形成される複数の開口５１ａを通りぬけて、再度分流して分流Ａ１ｄ，Ａ１ｅとして、分流路導入開口へと流れる。そして、分流路導入開口４９へと導かれる分流Ａ１ｄ，Ａ１ｅは，分流路導入開口を介して分流路へと流れる。そして、分流路へと流れた分流Ａ１ｄ、Ａ１ｅは、分流路に連通する活性種供給開口１３を介して第２プレフィルタ２３を通過する前の空気流に合流して、メイン空気流Ａとなる。
【００６３】
なお、本実施形態では、分流Ａ１を分流Ａ１ａ，Ａ１ｂとして接点部収容空間Ｓ２，Ｓ３へと流すことで、放電部収容空間Ｓ５の気圧よりも接点部収容空間Ｓ２，Ｓ３の気圧のほうが高くなるようにしている。
【００６４】
（４）特徴
（４−１）
例えば、特許文献１（特開２００５−３００１１１号公報）に開示のような放電部で生成される生成物は、酸化力が強い。このため、生成物が接点に触れると接点が腐食することが懸念される。
【００６５】
そこで、本実施形態では、空気流（分流Ａ１）が、接点部収容空間Ｓ２，Ｓ３から放電部収容空間Ｓ５へと向かう方向に流れるようにしている。すなわち、接点部収容空間Ｓ２，Ｓ３が、放電部収容空間Ｓ５よりも分流Ａ１の空気流上流側に位置するようにしている。よって、放電部１５２で生成された生成物（活性種）が接点部収容空間Ｓ２，Ｓ３へと流れるのを抑制できる。従って、固定接点部４７ａ，４７ｂ及び差込接点部５２ａ，５２ｂ（接点）の腐食を抑制できる。
【００６６】
また、このような簡易な方法で固定接点部４７ａ，４７ｂ及び差込接点部５２ａ，５２ｂの腐食を抑制できるので、これらの固定接点部４７ａ，４７ｂ及び差込接点部５２ａ，５２ｂを別途の密閉用シール材でシールしたり、耐腐食用のコーティング手段を用いてコーティングしたりするような場合と比べて、低コストである。
【００６７】
（４−２）
本実施形態では、接点部収容空間Ｓ２，Ｓ３は、放電部収容空間Ｓ５に隣接している。
【００６８】
このように、接点部収容空間Ｓ２，Ｓ３と放電部収容空間Ｓ５とが隣接するような配置関係であっても、空気流は接点部収容空間Ｓ２，Ｓ３を通って放電部収容空間Ｓ５へと流れるので、放電部１５２で生成された生成物（活性種）が接点部収容空間Ｓ２，Ｓ３へと流れるのを抑制できる。
【００６９】
（４−３）
本実施形態では、差込接点部５２ａ，５２ｂの接触状態において、差込開口４６ａ，４６ｂと差込接点部５２ａ，５２ｂとの間には、差込時隙間が存在する。
【００７０】
本実施形態では、差込時隙間のような空気の流通が生じる箇所があったとしても、空気流は接点部収容空間Ｓ２，Ｓ３を通って放電部収容空間Ｓ５へと流れるので、放電部１５２で生成された生成物（活性種）が接点部収容空間Ｓ２，Ｓ３へと流れるのを抑制できる。また、別途の部材を用いて、上記のような隙間を密閉しなくてもよいので、コストを抑制できる。
【００７１】
（４−４）
本実施形態では、吹出口１２から吹き出される空気流（吹出流）の一部が分流Ａ１として、本体取付ユニット３０へと流れる。すなわち、接点部収容空間Ｓ２，Ｓ３へと流れる空気は、本体１０の内部にて清浄化された空気である。よって、固定接点部４７ａ，４７ｂ及び差込接点部５２ａ，５２ｂやその周辺の塵埃の付着を抑制できる。これにより、トラッキングを抑制できる。
【００７２】
（４−５）
また、本実施形態では、接点部収容空間Ｓ２，Ｓ３の気圧のほうが、放電部収容空間Ｓ５の気圧よりも高い。
【００７３】
なお、本実施形態では、接点部収容空間Ｓ２，Ｓ３は、取込口４３に連通しており、これにより、接点部収容空間Ｓ２，Ｓ３へと空気流を流しやすい構成としている。
【００７４】
ここでは、接点部収容空間Ｓ２，Ｓ３の気圧のほうが放電部収容空間Ｓ５の気圧よりも高いので、放電部収容空間Ｓ５から接点部収容空間Ｓ２，Ｓ３へと流れる空気流れ（逆流）を抑制できる。よって、固定接点部４７ａ，４７ｂ及び差込接点部５２ａ，５２ｂの腐食を抑制できる。
【００７５】
（５）変形例
以上、本発明の実施形態について図面に基づいて説明したが、具体的な構成は、上記の実施形態に限られるものではなく、発明の要旨を逸脱しない範囲で変更可能である。
【００７６】
（５−１）変形例１Ａ
図６は、本変形例１Ａに係る本体取付ユニット３０の分解斜視図である。
【００７７】
上記実施形態以外にも、分流案内部４４に、分流形成部材４４ａを設けてもよい。分流形成部材４４ａは、平板形状を有し、分流案内部４４から上方に延びるように設けられる。分流形成部材４４ａは、分流Ａ１の流れを規制する機能を有する。よって、このような構成の場合、上記実施形態のように放電ユニット５０へと流れる分流Ａ１ｃを少なくできるので、上記実施形態よりも、多くの空気を接点部収容空間Ｓ２、Ｓ３へと導くことができる。
【００７８】
これにより、上記実施形態よりもさらに、接点部収容空間Ｓ２，Ｓ３と放電部収容空間Ｓ５との気圧差を大きくできる。
【００７９】
なお、分流案内部４４は、分流形成部材４４ａと一体成形されているような構成を採ってもよい。
【００８０】
（５−２）変形例１Ｂ
上記実施形態では、差込接点部５２ａ，５２ｂが差込開口４６ａ、４６ｂに差し込まれて固定接点部４７ａ，４７ｂと接触する接触状態を採ることによって、電気的に接続される接点が形成されるが、これに限られるものではなく、予め、接点部収容空間において放電部１５２に電圧を供給するための接点（部）が形成されていてもよい。
【００８１】
（５−３）変形例１Ｃ
上記実施形態では、空気清浄機能を有する床置き型の空気調和機に限って説明したが、これに限られるものではない。例えば、加湿機能や除湿機能をさらに有する空気調和機に適用してもよいし、天井に埋め込まれたり吊り下げられたりする天井取付型の空気調和機や、壁に埋め込まれたり取り付けられたりする壁取付型の空気調和機に適用してもよい。
【産業上の利用可能性】
【００８２】
本発明は、酸化力の強い生成物が生成される放電を行う種々の空気調和機に適用可能である。
【符号の説明】
【００８３】
１        空気調和機
３        ファン
１０      本体
１２      吹出口
３０      本体取付ユニット
４３      取込口
４５      仕切り板（仕切り部）
４６ａ    差込開口
４６ｂ    差込開口
４７ａ    固定接点部（接点部）
４７ｂ    固定接点部（接点部）
５０      放電ユニット
５２ａ    差込接点部
５２ｂ    差込接点部
１５２    放電部
１５２ａ  放電極
１５２ｂ  対向極
Ｓ２      接点部収容空間
Ｓ３      接点部収容空間
Ｓ５      放電部収容空間
【先行技術文献】
【特許文献】
【００８４】
【特許文献１】特開２００５−３００１１１号公報
【図１】
2013011395.tif 000003
【図２】
2013011395.tif 000004
【図３】
2013011395.tif 000005
【図４】
2013011395.tif 000006
【図５】
2013011395.tif 000007
【図６】
2013011395.tif 000008